(57)【要約】【課題】先払い決済通信料金の残高がなくなると、先払い決済により通信料金を補充することにより、実行中の移動通信サービスの利用を続け得る移動通信端末機及び移動通信端末機の通信料金先払い方法を提供する。【解決手段】移動通信端末機は、基地局が割り当てた通信チャネルの占有状態を維持し、金融機関にインターネットでオンライン接続し、先払い決済要求信号及び先払い決済承認信号を送受信する無線部と、無線部に接続され、通信料金の先払い決済、補充、及び差引管理、インターネット接続、ホールド状態の設定及び解除、警告部からの信号の発生を制御及び監視する制御部と、制御部に接続され、通信料金先払い決済情報、ユーザの身元情報及び運用情報を記録管理する移動メモリ部と、制御部に接続され、先払い決済通信料金の残高がなくなったことを通知するオーディオ警告信号と案内メッセージ信号、及び受信された通信信号を出力する警告部とを含む。【選択図】図２
2006311540.tif 000002
【特許請求の範囲】
【請求項１】
基地局（ＮＯＤＥ  Ｂ）が割り当てた通信チャネルの占有状態を維持し、金融機関にインターネットでオンライン接続し、先払い決済要求信号及び先払い決済承認信号を送受信する無線部と、
前記無線部に接続され、通信料金の先払い決済、補充、及び差引管理、インターネット接続、ホールド状態の設定及び解除、警告部からの信号の発生を制御及び監視する制御部と、
前記制御部に接続され、通信料金先払い決済情報、ユーザの身元情報及び運用情報を記録管理する移動メモリ部と、
前記制御部に接続され、先払い決済通信料金の残高がなくなったことを通知するオーディオ警告信号と案内メッセージ信号、及び受信された通信信号を出力する警告部と、
を含むことを特徴とする移動通信端末機。
【請求項２】
前記移動メモリ部が、ＳＩＭカードからなることを特徴とする請求項１に記載の移動通信端末機。
【請求項３】
前記移動メモリ部が、前記金融機関から承認された移動通信端末機の通信料金先払い決済情報を記録及び管理することを特徴とする請求項１に記載の移動通信端末機。
【請求項４】
前記移動メモリ部が、前記制御部の制御により、前記通信料金先払い決済情報を補充及び差引管理することを特徴とする請求項１に記載の移動通信端末機。
【請求項５】
前記制御部が、前記無線部を制御して、前記通信チャネルの占有状態を維持し、前記通信信号を遮断するホールド状態を設定又は解除することを特徴とする請求項１に記載の移動通信端末機。
【請求項６】
前記警告部が、
前記制御部の制御により、前記通信信号及び前記オーディオ警告信号を出力するスピーカと、
前記制御部の制御により、前記案内メッセージ信号を出力する表示部と、
を含むことを特徴とする請求項１に記載の移動通信端末機。
【請求項７】
前記無線部が、前記制御部の制御により、選択された前記金融機関にインターネットでオンライン接続することを特徴とする請求項１に記載の移動通信端末機。
【請求項８】
前記無線部が、前記制御部の制御により、前記金融機関に前記先払い決済要求信号を送信し、前記金融機関から前記先払い決済承認信号を受信することを特徴とする請求項１に記載の移動通信端末機。
【請求項９】
前記制御部が、移動通信サービス中の状態で、移動交換局の課金信号により、前記移動メモリ部に記録された先払い決済通信料金の差引管理を制御及び監視することを特徴とする請求項１に記載の移動通信端末機。
【請求項１０】
前記制御部が、移動通信サービス中の状態で、前記先払い決済通信料金の残高がなくなったか否かを確認及び監視することを特徴とする請求項１に記載の移動通信端末機。
【請求項１１】
前記制御部が、前記移動メモリ部の通信料金の残高がなくなったと確認されると、前記警告部を制御して、前記オーディオ警告信号と前記案内メッセージ信号を出力するように制御及び監視することを特徴とする請求項１に記載の移動通信端末機。
【請求項１２】
前記制御部が、前記無線部を制御して、選択された前記金融機関にインターネットでオンライン接続し、前記先払い決済要求信号及び前記先払い決済承認信号により、前記移動メモリ部に前記先払い決済通信料金が補充されるように制御及び監視することを特徴とする請求項１に記載の移動通信端末機。
【請求項１３】
移動通信端末機の制御部により、先払い決済通信料金で移動通信サービス中の状態で、前記先払い決済通信料金の残高がなくなったか否かを確認する過程と、
前記先払い決済通信料金の残高がなくなったと確認されると、警告信号と案内メッセージ信号を発生し、金融機関にインターネットでオンライン接続して先払い決済により通信料金を補充するか否かを判断する過程と、
前記判断の結果、先払い決済により通信料金を補充すると判断されると、通信チャネルをホールド状態に設定し、前記金融機関にインターネットでオンライン接続して、先払い決済の要求及び承認により通信料金を補充する過程と、
前記通信料金の補充により前記ホールド状態の設定を解除し、前記実行中の移動通信サービスの利用を続ける過程と、
を含むことを特徴とする移動通信端末機の通信料金先払い方法。
【請求項１４】
前記確認する過程が、
前記移動通信端末機の制御部により、移動メモリ部に記録された先払い決済通信料金の残高がある状態で、移動通信サービスを行う過程と、
前記制御部により、前記移動メモリ部の先払い決済通信料金の残高がなくなったか否かを確認する過程と、
からなることを特徴とする請求項１３に記載の移動通信端末機の通信料金先払い方法。
【請求項１５】
前記判断する過程が、
前記制御部により、移動メモリ部に記録された先払い決済通信料金の残高がなくなったと確認されると、警告信号と案内メッセージ信号を発生して出力する過程と、
前記制御部が無線部を制御して、前記金融機関にインターネットでオンライン接続し、先払い決済により通信料金を補充するか否かを確認する過程と、
からなることを特徴とする請求項１３に記載の移動通信端末機の通信料金先払い方法。
【請求項１６】
前記補充する過程が、
前記制御部により、先払い決済により通信料金を補充する場合、実行中の移動通信サービスをホールド処理することにより、呼接続状態を維持する過程と、
前記制御部により、前記金融機関の通信料金の先払い決済の承認を確認し、通信料金を補充して移動メモリ部に記録する過程と、
からなることを特徴とする請求項１３に記載の移動通信端末機の通信料金先払い方法。
【請求項１７】
前記利用を続ける過程が、
前記制御部により、前記ホールド状態の設定を解除する過程と、
前記ホールド状態が解除されると、移動通信サービスの利用を続ける過程と、
からなることを特徴とする請求項１３に記載の移動通信端末機の通信料金先払い方法。
【発明の詳細な説明】
【技術分野】
【０００１】
本発明は、移動通信端末機の通信料金先払い決済に関し、特に、実行中の通信の呼接続を遮断せずに通信料金を先払いで決済する移動通信端末機及びその方法に関する。
【背景技術】
【０００２】
移動通信システムは、施設の設置、運用、維持補修などに多くの時間とコストがかかるという特性により、移動通信サービス利用料金が比較的高く課金される。
【０００３】
このような移動通信サービスは、利用料金が比較的高いため、必要な場合にのみ利用しても利用料金の納付が経済的に負担になることがある。
【０００４】
このように高い移動通信サービス利用料金を適切に制限する方式として、通信料金先払い決済（プリペイド）方式がある。
【０００５】
前記通信料金先払い決済方式とは、所定金額の通信料金を該当移動通信サービス事業者に先払い決済し、前記先払い決済した通信料金の範囲内で移動通信サービスを利用する方式をいう。
【発明の開示】
【発明が解決しようとする課題】
【０００６】
しかし、前記通信料金先払い決済方式においては、先払い決済した通信料金の残高がなくなると、移動通信サービスを利用中の状態でも、チャネルの占有が解除されて呼接続が遮断され、サービスの利用が中断されるという問題があった。
【０００７】
本発明は、このような従来技術の問題を解決するためになされたもので、移動通信端末機で移動通信サービスを利用する際、先払い決済通信料金の残高がなくなると、ホールド状態を設定して通信チャネルの占有状態を維持し、選択された金融機関にインターネットでオンライン接続して先払い決済により通信料金を補充することにより、実行中の移動通信サービスの利用を続けることができる移動通信端末機及び移動通信端末機の通信料金先払い方法を提供することを目的とする。
【課題を解決するための手段】
【０００８】
このような目的を達成するために、本発明による移動通信端末機の通信料金先払い決済装置は、基地局（ＮＯＤＥ  Ｂ）に無線接続し、移動通信信号、先払い決済要求信号、先払い決済承認信号を送受信する無線部と、先払い決済通信料金の補充及び差引管理、インターネット接続、ホールド状態の設定及び解除、全体の運用を制御及び監視する制御部と、移動通信端末機を運用するための各種プログラム及びデータを記録管理する運用メモリ部と、通信料金先払い決済情報、ユーザの身元情報及び運用情報を記録管理する移動メモリ部と、通信信号、インターネット接続制御命令、金融決済制御命令、呼出制御命令を入力する入力部と、オーディオ警告信号、案内メッセージ信号、通信信号を出力する警告部とを含むことを特徴とする。
【０００９】
また、本発明による移動通信端末機の通信料金先払い方法は、移動通信端末機の制御部により、先払い決済通信料金で通信中の状態で、先払い決済通信料金の残高がなくなったか否かを確認する過程と、前記先払い決済通信料金の残高がなくなったと確認されると、警告信号と案内メッセージ信号を発生し、オンライン決済で補充するか否かを判断する過程と、前記判断の結果、オンライン決済で補充すると判断されると、実行中の通信をホールド状態に設定し、金融機関にインターネットでオンライン接続して先払い決済により通信料金を補充する過程と、前記通信料金の補充により前記ホールド状態の設定を解除し、前記実行中の通信の利用を続ける過程とを含むことを特徴とする。
【００１０】
上記目的を達成するために、本発明は、例えば、以下の手段を提供する。
（項目１）
基地局（ＮＯＤＥ  Ｂ）が割り当てた通信チャネルの占有状態を維持し、金融機関にインターネットでオンライン接続し、先払い決済要求信号及び先払い決済承認信号を送受信する無線部と、
前記無線部に接続され、通信料金の先払い決済、補充、及び差引管理、インターネット接続、ホールド状態の設定及び解除、警告部からの信号の発生を制御及び監視する制御部と、
前記制御部に接続され、通信料金先払い決済情報、ユーザの身元情報及び運用情報を記録管理する移動メモリ部と、
前記制御部に接続され、先払い決済通信料金の残高がなくなったことを通知するオーディオ警告信号と案内メッセージ信号、及び受信された通信信号を出力する警告部と、
を含むことを特徴とする移動通信端末機。
（項目２）
前記移動メモリ部が、ＳＩＭカードからなることを特徴とする項目１に記載の移動通信端末機。
（項目３）
前記移動メモリ部が、前記金融機関から承認された移動通信端末機の通信料金先払い決済情報を記録及び管理することを特徴とする項目１に記載の移動通信端末機。
（項目４）
前記移動メモリ部が、前記制御部の制御により、前記通信料金先払い決済情報を補充及び差引管理することを特徴とする項目１に記載の移動通信端末機。
（項目５）
前記制御部が、前記無線部を制御して、前記通信チャネルの占有状態を維持し、前記通信信号を遮断するホールド状態を設定又は解除することを特徴とする項目１に記載の移動通信端末機。
（項目６）
前記警告部が、
前記制御部の制御により、前記通信信号及び前記オーディオ警告信号を出力するスピーカと、
前記制御部の制御により、前記案内メッセージ信号を出力する表示部と、
を含むことを特徴とする項目１に記載の移動通信端末機。
（項目７）
前記無線部が、前記制御部の制御により、選択された前記金融機関にインターネットでオンライン接続することを特徴とする項目１に記載の移動通信端末機。
（項目８）
前記無線部が、前記制御部の制御により、前記金融機関に前記先払い決済要求信号を送信し、前記金融機関から前記先払い決済承認信号を受信することを特徴とする項目１に記載の移動通信端末機。
（項目９）
前記制御部が、移動通信サービス中の状態で、移動交換局の課金信号により、前記移動メモリ部に記録された先払い決済通信料金の差引管理を制御及び監視することを特徴とする項目１に記載の移動通信端末機。
（項目１０）
前記制御部が、移動通信サービス中の状態で、前記先払い決済通信料金の残高がなくなったか否かを確認及び監視することを特徴とする項目１に記載の移動通信端末機。
（項目１１）
前記制御部が、前記移動メモリ部の通信料金の残高がなくなったと確認されると、前記警告部を制御して、前記オーディオ警告信号と前記案内メッセージ信号を出力するように制御及び監視することを特徴とする項目１に記載の移動通信端末機。
（項目１２）
前記制御部が、前記無線部を制御して、選択された前記金融機関にインターネットでオンライン接続し、前記先払い決済要求信号及び前記先払い決済承認信号により、前記移動メモリ部に前記先払い決済通信料金が補充されるように制御及び監視することを特徴とする項目１に記載の移動通信端末機。
（項目１３）
移動通信端末機の制御部により、先払い決済通信料金で移動通信サービス中の状態で、前記先払い決済通信料金の残高がなくなったか否かを確認する過程と、
前記先払い決済通信料金の残高がなくなったと確認されると、警告信号と案内メッセージ信号を発生し、金融機関にインターネットでオンライン接続して先払い決済により通信料金を補充するか否かを判断する過程と、
前記判断の結果、先払い決済により通信料金を補充すると判断されると、通信チャネルをホールド状態に設定し、前記金融機関にインターネットでオンライン接続して、先払い決済の要求及び承認により通信料金を補充する過程と、
前記通信料金の補充により前記ホールド状態の設定を解除し、前記実行中の移動通信サービスの利用を続ける過程と、
を含むことを特徴とする移動通信端末機の通信料金先払い方法。
（項目１４）
前記確認する過程が、
前記移動通信端末機の制御部により、移動メモリ部に記録された先払い決済通信料金の残高がある状態で、移動通信サービスを行う過程と、
前記制御部により、前記移動メモリ部の先払い決済通信料金の残高がなくなったか否かを確認する過程と、
からなることを特徴とする項目１３に記載の移動通信端末機の通信料金先払い方法。
（項目１５）
前記判断する過程が、
前記制御部により、移動メモリ部に記録された先払い決済通信料金の残高がなくなったと確認されると、警告信号と案内メッセージ信号を発生して出力する過程と、
前記制御部が無線部を制御して、前記金融機関にインターネットでオンライン接続し、先払い決済により通信料金を補充するか否かを確認する過程と、
からなることを特徴とする項目１３に記載の移動通信端末機の通信料金先払い方法。
（項目１６）
前記補充する過程が、
前記制御部により、先払い決済により通信料金を補充する場合、実行中の移動通信サービスをホールド処理することにより、呼接続状態を維持する過程と、
前記制御部により、前記金融機関の通信料金の先払い決済の承認を確認し、通信料金を補充して移動メモリ部に記録する過程と、
からなることを特徴とする項目１３に記載の移動通信端末機の通信料金先払い方法。
（項目１７）
前記利用を続ける過程が、
前記制御部により、前記ホールド状態の設定を解除する過程と、
前記ホールド状態が解除されると、移動通信サービスの利用を続ける過程と、
からなることを特徴とする項目１３に記載の移動通信端末機の通信料金先払い方法。
【発明の効果】
【００１１】
本発明による移動通信端末機及び移動通信端末機の通信料金先払い方法は、移動通信端末機の移動メモリ部に記録された先払い決済通信料金の残高が全てなくなった場合、選択された金融機関にインターネットでオンライン接続して通信料金の先払い決済を要求し、前記金融機関の決済承認により通信料金を補充することにより、実行中の移動通信サービスをしばらくホールドし、補充を確認した後に続けるという作用効果がある。
【００１２】
また、本発明は、選択された金融機関にインターネットでオンライン接続して通信料金を先払い決済するため、再補充が容易であるという使用上の効果がある。
【発明を実施するための最良の形態】
【００１３】
以下、添付した図面を参照して本発明の好ましい実施形態を説明する。
【００１４】
図１は本発明による移動通信システムを示す機能構成図である。
【００１５】
図１に示すように、本発明による移動通信システムは、サービスエリア内で通信する移動通信端末機（ＭＳ）１０と、移動通信端末機１０との無線接続のためのサービスエリアを形成する基地局（ＮＯＤＥ  Ｂ）２０と、基地局２０に接続され、スイッチングにより通信経路が接続されるように設定し、システム全体の運用を制御及び監視する移動交換局（ＭＳＣ）３０とを含む。
【００１６】
移動通信端末機１０を所持して長距離旅行する場合、移動通信端末機１０の携帯が不便であるという問題を解消する方法として、ＳＩＭ（Ｓｕｂｓｃｒｉｂｅｒ  Ｉｄｅｎｔｉｔｙ  Ｍｏｄｕｌｅ）カード使用方式が提案及び採用されており、前記ＳＩＭカードの使用は、ＧＳＭ方式の移動通信システムの特徴の１つである。
【００１７】
前記ＳＩＭカードには、前記通信料金先払い決済情報、加入者の身元情報及び金融情報、登録されたシステム情報及び運用情報など、移動通信サービスを利用するために必要な情報などが記録管理される。
【００１８】
前記ＧＳＭ方式の移動通信システムにおいては、旅行目的地で移動通信端末機１０の本体をレンタルし、携帯したＳＩＭカードを挿入して接続することにより、ホーム又はローミングサービスによる移動通信サービスを利用する。
【００１９】
図２は本発明による移動通信端末機の通信料金先払い決済装置の構成を示すブロック図である。
【００２０】
図２に示すように、本発明による移動通信端末機の通信料金先払い決済装置は、基地局（ＮＯＤＥ  Ｂ）が割り当てた通信チャネルをホールド状態に設定し、選択された金融機関にインターネットでオンライン接続して先払い決済要求信号及び先払い決済承認信号を送受信する無線部１００と、通信料金の先払い決済、補充、及び差引管理、ホールド状態の設定及び解除を制御及び監視する制御部１１０と、移動通信端末機を運用するための各種プログラム及びデータを記録管理する運用メモリ部１２０と、ＳＩＭカードからなり、通信料金先払い決済情報を記録管理する移動メモリ部１３０と、通信信号を入力し、インターネット接続、金融決済、及び相手の呼び出しのための制御命令を入力する入力部１４０と、先払い決済通信料金の残高がなくなったことを通知するオーディオ警告信号と案内メッセージ信号、及び受信された通信信号を出力する警告部１５０とを含む。
【００２１】
以下、このように構成された本発明による移動通信端末機の通信料金先払い決済装置の動作について、図１〜図３を参照して説明する。
【００２２】
移動通信端末機１０は、動作電源が供給されると、制御部１１０により、運用メモリ部１２０に記録管理されるオペレーティングプログラム、アプリケーションプログラム、運用データなどがロードされて起動される。
【００２３】
制御部１１０は、各機能部を監視し、入力部１４０からの制御命令信号を分析して移動通信サービスの利用と確認され、先払い決済通信料金の残高があると、相手に呼接続して移動通信サービスを利用する（Ｓ２００）。
【００２４】
制御部１１０は、移動メモリ部１３０に記録管理される通信料金先払い決済情報を読み出して分析し、移動通信サービスを利用できる先払い決済通信料金の残高がなくなったか否かを確認する（Ｓ２１０）。
【００２５】
前記過程Ｓ２１０で、前記先払い決済通信料金の残高がなくなったと確認されると、制御部１１０は、警告部１５０を制御して、ユーザが認識できるオーディオ警告信号と案内メッセージ信号を発生及び出力させる（Ｓ２２０）。
【００２６】
警告部１５０は、前記オーディオ警告信号を出力して外部に認知させるスピーカ又はブザーと、文字、イメージ、映像などにより前記案内メッセージ信号を出力するＬＣＤ表示部とを含む。また、警告部１５０のスピーカは、受信された通信信号をも出力する。
【００２７】
制御部１１０は、入力部１４０を監視して、ユーザにより、先払い決済通信料金を補充するための補充制御命令が、設定された所定時間内に入力されるか否かを確認する（Ｓ２３０）。
【００２８】
前記過程Ｓ２３０で、前記補充制御命令が入力されると、制御部１１０は、現在移動通信サービスを利用するために呼接続されている通信チャネルの占有状態を維持し、通信信号が送受信されないようにホールド状態を設定する（Ｓ２４０）。
【００２９】
すなわち、前記ホールド状態とは、移動通信端末機の無線部１００により、基地局が割り当てた無線チャネルの占有状態を維持し、通信信号が送受信されないようにする状態をいう。
【００３０】
前記過程Ｓ２４０で、前記ホールド状態が設定されると、制御部１１０は、一例として、前記ホールド状態が設定されていることを案内するメッセージを移動通信中の相手に送信できる。
【００３１】
制御部１１０は、無線部１００をアクティブ制御して、インターネットに無線接続し、入力部１４０を利用してユーザが選択した金融機関にオンライン接続する。
【００３２】
制御部１１０は、無線部１００により、インターネットでオンライン接続された金融機関に、ユーザが選択した所定の通信料金の先払い決済を要求する先払い決済要求信号を送信する。
【００３３】
制御部１１０は、前記金融機関から前記先払い決済を承認する先払い決済承認信号が受信されると、移動メモリ部１３０の通信料金先払い決済情報の記録のために割り当てられた領域に前記先払い決済された通信料金を記録して、前記通信料金先払い決済情報を更新し、通信料金を補充する（Ｓ２５０）。
【００３４】
前記過程Ｓ２５０で、前記通信料金の補充が正常に完了すると、制御部１１０は、前記ホールド状態の設定を解除する（Ｓ２６０）。
【００３５】
前記ホールド状態の設定が解除されると、制御部１１０は、無線部１００により、入力部１４０に入力される通信信号を相手に送信し、相手から伝送される通信信号を受信する（Ｓ２７０）。
【００３６】
前記通信信号の送受信時、無線部１００は、移動交換局（ＭＳＣ）が伝送する課金信号を共に受信して制御部１１０に送り、制御部１１０は、前記課金信号を分析し、移動メモリ部１３０に記録された先払い決済通信料金から差し引いて記録する。
【００３７】
このように前記先払い決済通信料金を差し引いて記録するたびに、前記先払い決済通信料金の残高が全てなくなったか否かを確認する。
【００３８】
前記先払い決済通信料金の残高がなくなり、警告信号と案内メッセージ信号が発生した状態（Ｓ２１０、Ｓ２２０）で、ユーザにより、先払い決済通信料金を補充するための補充制御命令が、設定された所定時間内に制御部１１０に入力されないと、ホールド状態により維持されていた呼接続が遮断され、移動通信サービスを利用できなくなって移動通信サービスが終了する。
【００３９】
また、移動通信サービスを初めて利用する場合も、制御部１１０は、移動メモリ部１３０の先払い決済通信料金の残高を確認して残高がなくなったと確認されると、前記警告信号を発生し、通信料金を補充するか否かを確認する。
【００４０】
前記確認の結果、通信料金を補充すると確認されると、指定された金融機関にインターネットでオンライン接続し、先払い決済による前記の補充過程を行った後、移動通信サービスを利用するように制御する。
【００４１】
前述のように、本発明においては、移動通信端末機１０の移動メモリ部１３０に記録された先払い決済通信料金の残高がなくなった場合、呼接続による通信信号の送受信を遮断し、チャネルの占有状態を維持するホールド状態に設定した後、選択された金融機関にインターネットでオンライン接続して通信料金の先払い決済を要求し、前記金融機関の決済承認により通信料金を補充することにより、実行中の移動通信サービスの利用を続けることができるという利点がある。
【００４２】
また、前記移動通信サービスを利用しない状態でも、先払い決済により通信料金を補充できる。
【００４３】
先払い決済通信料金の残高がなくなると、ホールド状態を設定して通信チャネルの占有状態を維持し、選択された金融機関にインターネットでオンライン接続して先払い決済により通信料金を補充することにより、実行中の移動通信サービスの利用を続けることができる移動通信端末機及び移動通信端末機の通信料金先払い方法を提供する。
【００４４】
移動通信端末機は、基地局が割り当てた通信チャネルの占有状態を維持し、金融機関にインターネットでオンライン接続し、先払い決済要求信号及び先払い決済承認信号を送受信する無線部と、無線部に接続され、通信料金の先払い決済、補充、及び差引管理、インターネット接続、ホールド状態の設定及び解除、警告部からの信号の発生を制御及び監視する制御部と、制御部に接続され、通信料金先払い決済情報、ユーザの身元情報及び運用情報を記録管理する移動メモリ部と、制御部に接続され、先払い決済通信料金の残高がなくなったことを通知するオーディオ警告信号と案内メッセージ信号、及び受信された通信信号を出力する警告部とを含む。
【００４５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００４６】
【図１】本発明による移動通信システムを示す機能構成図である。
【図２】本発明による移動通信端末機の通信料金先払い決済装置の構成を示すブロック図である。
【図３】本発明による移動通信端末機の通信料金先払い方法を示すフローチャートである。
【符号の説明】
【００４７】
１００  無線部
１１０  制御部
１２０  運用メモリ部
１３０  移動メモリ部
１４０  入力部
１５０  警告部
【図１】
2006311540.tif 000003
【図２】
2006311540.tif 000004
【図３】
2006311540.tif 000005